(57)【要約】【課題】            現在、カメラで撮像した動画像もしくは静止画像を録画中に装置に対する電力の供給が遮断されてしまった時、録画中のデータは全てが破壊され消滅してしまうため、何らの記録も残らず、保存はもちろん、当然のことながら再生してその録画像を見ることは不可能となってしまう点である。【解決手段】        録画データの保存システムはカメラで撮像した動画像の後に高品質静止画像を受信機のメモリに定期的に繰り返し、瞬時に記憶することとし、前記した受信機は動画像と静止画像を繰り返し瞬時に保存する事により、突然、装置の電源供給が絶たれても確実に録画データが保存できることとし、前記した受信機は動画像と静止画像を繰り返し瞬時に保存する事により、突然、装置の電源供給が絶たれても電源供給が絶たれる前の録画動作状態を記憶し、電源供給が復帰した後でも引き続き録画動作を継続できることとする。【選択図】          図１
2007259248.tif 000002
【特許請求の範囲】
【請求項１】
カメラで撮像した動画像の後に高品質静止画像を受信機のメモリに定期的に繰り返し、瞬時に記憶することを特徴とする録画データの保存システム。
【請求項２】
前記した静止画像データの伝送時間は動画像データの伝送時間よりも短く構成されていることを特徴とする請求項１に記載の録画データの保存システム。
【請求項３】
前記カメラは着信した電話機信号からでも稼動可能であり、遠隔地より録画開始及び停止されることを特徴とする請求項１または請求項２に記載の録画データの保存システム。
【請求項４】
前記カメラは生体感知センサーに反応して稼動することを特徴とする請求項１、請求項２または請求項３に記載の録画データの保存システム。
【請求項５】
前記した受信機は携帯電話機をはじめとする移動体通信機としたことを特徴とする請求項１、請求項２、請求項３または請求項４に記載の録画データの保存システム。
【請求項６】
前記した受信機は動画像と静止画像を繰り返し瞬時に保存する事により、突然、装置の電源供給が絶たれても確実に録画データが保存できることを特徴とする請求項１、請求項２、請求項３、請求項４または請求項５に記載の録画データの保存システム。
【請求項７】
前記した受信機は動画像と静止画像を繰り返し瞬時に保存する事により、突然、装置の電源供給が絶たれても電源供給が絶たれる前の録画動作状態を記憶し、電源供給が復帰した後でも引き続き録画動作を継続できることを特徴とする請求項１、請求項２、請求項３、請求項４、請求項５または請求項６に記載の録画データの保存システム。
【発明の詳細な説明】
【技術分野】
【０００１】
本発明は録画データの保存システムに関し、特にデジタル伝送される動画像あるいは静止画像の録画作業中に、装置に対する電力供給が停止してしまった時でも確実に録画データをメモリに記憶（保存）させておくことを可能とする録画データの保存システムに関する。
【背景技術】
【０００２】
一般的に、カメラで撮像された動画像は静止画像を順次高速で伝送し、受信側でその順次伝送されてくる静止画像を連続的に高速表示することで行なわれている。この動画像の場合画像データが多量となるのでデータ圧縮が行なわれるのが通常である。また、静止画像は１枚として完結データとして作成され伝送されることとなる。
【０００３】
しかしながら、この画像伝送は従来受信機側において、当該画像を録画している最中に停電その他の不測の原因で装置への電力供給が停止されてしまった場合、即ち、電源が無くなってしまった場合、録画中のデータは破壊され、全てが消滅してしまい保存しておくことができ得ないため、後にその録画を再生して見ることは不可能となってしまう。
【特許文献１】特開平１０−２８５５６３号
【発明の開示】
【発明が解決しようとする課題】
【０００４】
本発明が解決しようとする問題点は、現在、カメラで撮像した動画像もしくは静止画像を録画中に装置に対する電力の供給が遮断されてしまった時、録画中のデータは全てが破壊され消滅してしまうため、何らの記録も残らず、保存はもちろん、当然のことながら再生してその録画像を見ることは不可能となってしまう点である。
【課題を解決するための手段】
【０００５】
この問題点を解決するために、本発明に係る録画データの保存システムはカメラで撮像した動画像の後に高品質静止画像を受信機のメモリに定期的に繰り返し、瞬時に記憶することを特徴とする。
【０００６】
また本発明は静止画像データの伝送時間は動画像データの伝送時間よりも短く構成されていることを特徴とする。
【０００７】
また本発明は、カメラは着信した電話機信号からでも稼動可能であり、遠隔地より録画開始及び停止されることを特徴とする。
【０００８】
また本発明は、前記カメラは生体感知センサーに反応して稼動することを特徴とする。
【０００９】
また本発明は、前記した受信機は携帯電話機をはじめとする移動体通信機としたことを特徴とする。
【００１０】
また本発明は、前記した受信機は動画像と静止画像を繰り返し瞬時に保存する事により、突然、装置の電源供給が絶たれても確実に録画データが保存できることを特徴とする。
【００１１】
また本発明は、前記した受信機は動画像と静止画像を繰り返し瞬時に保存する事により、突然、装置の電源供給が絶たれても電源供給が絶たれる前の録画動作状態を記憶し、電源供給が復帰した後でも引き続き録画動作を継続できることを特徴とする。
【発明の効果】
【００１２】
本発明に係る録画データの保存システムは上述したように構成されている。録画中の動画像及び静止画像を繰り返し瞬時に記憶（保存）させることにより、不測の事態で装置に対する電力供給が断たれても確実に録画データを保存し、その再生を実行することができることとなる。
【発明を実施するための最良の形態】
【００１３】
図面として示し、実施例に記載したように構成することで実現した。
【実施例１】
【００１４】
次に、本発明の好ましい実施の一例を図面を参照して説明する。図１は本発明に係る録画データの保存システムに実行される録画データの伝送におけるデータストリームを示す図である。
【００１５】
本発明の実施には目的対象を撮像するカメラの存在が必要となり、撮像する対象としては無人稼動の機械をはじめ、屋内外における子供、老人、ペット等が幅広く考えられる。カメラで撮像された画面は動画用、静止画用の各々の変換部（装置）とこれの合成部、そして伝送路、その伝送路を送られてきたデータの分離部と動画用、静止画用の各々の復号部及び表示装置が必要となり、前記した分離部以降が受信機の機能となる。
【００１６】
ここでカメラはＣＣＤやＣＭＯＳカメラ等が用いられるが、監視用として使用される類のカメラはすべてが使用可能となる。また、本実施例では、受信機に接続される外部機器に移動体通信機を接続し、撮像した静止画像を登録されている携帯電話機等の移動体通信機やパソコン等へ送信するようにすることができる。
【００１７】
さらに、生体感知センサーを付設し、例えば人がその付近を通ったり存在した場合に起動し、登録されている携帯電話機等に対し、その静止画像を送ることも可能となる。かかる機能は携帯電話機等の移動体通信機の所持者が自ら行動を開始せずとも画像データが送り付けられるため、セキュリティ対策としても非常に大きな効を奏する。
【００１８】
カメラで撮像された画像データは前記したようにデータ圧縮され無線としても可能な伝送路を介し、例えば携帯電話機等をはじめとする受信機に送られるが、そのデータストリームは図１に示すようになっている。概略ではまず動画像データを所定時間送ると、その伝送は一旦ストップされ、続いて静止画像データを送る。この静止画像が送られる直前に先の動画像データはメモリ等の記憶装置に瞬時に保存され、静止画像も伝送されると瞬時に保存される。この保存作業は録画データが受信機に伝送されている間、繰り返し実行されることとなる。
【００１９】
前記した画像圧縮としては、例えば動画像にはＭＰＥＧ４方式、静止画像にはＪＰＥＧ方式を用い、動画像では想定として３２０×２４０ピクセルを３０フレーム／ｓｅｃで伝送し、同時に静止画像として２４０×１８０ピクセルを伝送することとなる。
【００２０】
カメラの撮像データ（信号）は、標本化、量子化、データ圧縮（画像圧縮）等の処理と変換が行なわれる。その後に動画像と静止画像が合成される。この合成に際しては高画質となる静止画像を構成するデータの部分を切り出し、図１として示す動画像伝送データ中に一つづつ挿入していく構成とし全体のデータストリームを形成する。
【００２１】
また、静止画像の画質、サイズ、伝送周期によって動画像の伝送に影響が生じないように、ダイナミックにソフトウェア、ファームウェアで静止画像の伝送は制御されることになる。
【００２２】
伝送路を介して伝送されたデータストリームは受信機側で静止画像が分離された後に、動画像を静止画像の復号が行なわれ、表示装置に表示されるが、この表示は動画用ＰＡと一定周期毎に静止画用のＰＢ（高画質）で見ることができる。この画面閲覧はモニター等のＣＲＴに限らず、移動体通信機における液晶画面等でも当然に可能となる。
【００２３】
本発明は係る録画データの保存システムは上述のように構成される。そのため、無人稼動している機械の状況や室内における子供、老人、ペット等の状況確認やセキュリティ対策もでき、カメラを屋外に据えれば地域としての防犯態勢も構築できる。
【産業上の利用可能性】
【００２４】
本発明は上記のように構成されるため、単なる監視や状況確認のみならず、メディアの一つとしてのテレビ放送、特にデジタル放送に関しても受信機側において応用実施することが可能となり、その他広く通信業務にも応用することが可能である。
【図面の簡単な説明】
【００２５】
【図１】本発明に係る録画データの保存システムに実行される録画データの伝送におけるデータストリームを示す図である。
【図１】
2007259248.tif 000003